Podtech/llm-jp-corpus-v4-ja_patent huggingface dataset:
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
遊技場に設置されている遊技機での遊技に関わる遊技データを管理する遊技データ管理手段と、
遊技データの集計期間を設定する集計期間設定手段と、
前記遊技データ管理手段で管理している遊技データに基づき、遊技場に導入されてからの経過期間が同一であって前記集計期間設定手段により設定された集計期間における複数機種の遊技データを、当該複数機種間で比較可能に出力する出力手段と、
を有する管理装置であって、
前記遊技データ管理手段は、前記遊技機での遊技に使用される遊技媒体の貸与単価を特定可能に、前記遊技データを管理し、
前記出力手段は、前記遊技データを、一の貸与単価の機種と他の貸与単価の機種について比較可能に出力することを特徴とする管理装置。
【請求項２】
請求項１に記載した管理装置であって、
前記出力手段は、前記遊技データを、グラフ形式で出力可能であることを特徴とする管理装置。
【手続補正２】
【補正対象書類名】明細書
【補正対象項目名】０００７
【補正方法】変更
【補正の内容】
【０００７】
まず手段１に係る発明は、
遊技場に設置されている遊技機（パチンコ機１０）での遊技に関わる遊技データ（アウト玉数）を管理する遊技データ管理手段（遊技情報ＤＢ）と、
遊技データの集計期間を設定する集計期間設定手段（ディスプレイ５３及び入力装置５４）と、
前記遊技データ管理手段で管理している遊技データに基づき、遊技場に導入されてからの経過期間が同一であって前記集計期間設定手段により設定された集計期間における複数機種の遊技データ（複数機種の各導入日からの遊技データ）を、当該複数機種間で比較可能に出力する出力手段（ディスプレイ５３）と、
を有する管理装置（ホールコンピュータ５０）であって、
前記遊技データ管理手段（遊技情報ＤＢ及び貸与単価ＤＢ）は、前記遊技機での遊技に使用される遊技媒体の貸与単価を特定可能に、前記遊技データを管理し、
前記出力手段は、前記遊技データを、一の貸与単価の機種と他の貸与単価の機種について比較可能に出力することを特徴とする管理装置である。
これによれば、集計期間の設定を受け付けると、遊技場に導入されてからの経過期間が同一の前記集計期間における、一の貸与単価の機種と他の貸与単価の機種との遊技データが比較可能に出力されるので、該遊技データを適切に比較することができて、遊技機を導入する際の参考とすることができる。
また前記出力手段は、前記遊技データを、グラフ形式で出力可能である。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
変動表示を行い、遊技者にとって有利な有利状態に制御可能な遊技機であって、
変動表示の態様を選択する変動態様選択手段と、
前記変動態様選択手段により選択された変動表示の態様に従って変動表示を行い、表示結果を導出させる変動表示演出を含む演出の実行を制御する演出制御手段とを備え、
前記演出制御手段は、変動表示の態様として再変動態様が選択されたときに、変動表示が開始されてから表示結果が導出されるまでに一旦仮停止させた後に再度変動表示させる再変動表示を所定回実行する再変動表示実行手段を含み、
前記再変動態様による変動表示において所定の報知を行う報知手段を備え、
前記再変動態様には、再変動表示の回数が互いに異なる複数種類の再変動表示態様が含まれるとともに、最後に仮停止させた後に実行可能なリーチ変動態様が複数種類含まれており、
前記変動態様選択手段は、再変動表示の回数に応じて、いずれのリーチ変動態様が実行されるかの割合が異なるように前記再変動態様を選択し、
前記報知手段は、再変動表示の回数に対応した態様により報知を行う
ことを特徴とする遊技機。
【手続補正２】
【補正対象書類名】明細書
【補正対象項目名】０００１
【補正方法】変更
【補正の内容】
【０００１】
本発明は、パチンコ遊技機、スロットマシン等の遊技機に関し、特に変動表示を行い、遊技者にとって有利な有利状態に制御可能な遊技機に関する。
【手続補正３】
【補正対象書類名】明細書
【補正対象項目名】０００９
【補正方法】変更
【補正の内容】
【０００９】
本発明は、変動表示が開始されてから表示結果が導出されるまでに一旦仮停止させた後に再度変動表示させる再変動表示を実行する再変動態様において、再変動表示の回数とリーチ変動態様の種類にも遊技者を注目させ、遊技の興趣を向上させることができる遊技機を提供することを目的とする。
【手続補正４】
【補正対象書類名】明細書
【補正対象項目名】００１０
【補正方法】変更
【補正の内容】
【００１０】
上記目的を達成するため、本発明の第１の観点にかかる遊技機は、
変動表示を行い、遊技者にとって有利な有利状態（大当たり遊技状態）に制御可能な遊技機（パチンコ遊技機１）であって、
変動表示の態様（変動パターン）を選択する変動態様選択手段（ＣＰＵ５６（図４））と、
前記変動態様選択手段により選択された変動表示の態様に従って変動表示を行い、表示結果を導出させる変動表示演出を含む演出の実行を制御する演出制御手段（表示制御基板８０の表示制御用ＣＰＵ）とを備え、
前記演出制御手段は、変動表示の態様として再変動態様（疑似連１回／２回／３回／４回）が選択されたときに、変動表示が開始されてから表示結果が導出されるまでに一旦仮停止させた後に再度変動表示させる再変動表示を所定回実行する再変動表示実行手段（表示制御基板８０の表示制御用ＣＰＵ）を含み、
前記再変動態様による変動表示において所定の報知を行う報知手段を備え、
前記再変動態様には、再変動表示の回数が互いに異なる複数種類の再変動表示態様（疑似連１回／２回／３回／４回）が含まれるとともに、最後に仮停止させた後に実行可能なリーチ変動態様が複数種類（ノーマル、スーパーＡ、スーパーＢ）含まれており、
前記変動態様選択手段は、再変動表示の回数に応じて、いずれのリーチ変動態様が実行されるかの割合が異なるように前記再変動態様を選択し、
前記報知手段は、再変動表示の回数に対応した態様（装飾ランプ２５ａ〜２５ｃの点灯）により報知を行う
ことを特徴とする。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
燃料を燃焼させる燃焼機関からの排ガスの熱を回収する熱交換器と、
前記熱交換器で熱回収前の排ガス中の煤塵を除去する集塵機と、
除塵後の排ガス中に含まれる硫黄酸化物を吸収液で除去する脱硫装置と、
前記集塵機と前記熱交換器との間または前記集塵機の上流側に配置された石灰供給装置と、
制御装置と、を備え、
前記石灰供給装置は、
炭酸カルシウムを貯留する炭酸カルシウム貯留手段と、
前記炭酸カルシウム貯留手段に貯留された炭酸カルシウムを搬送する炭酸カルシウム搬送手段と、
前記炭酸カルシウム搬送手段で搬送された炭酸カルシウムを煙道に供給する炭酸カルシウム供給手段と、
前記煙道の、前記炭酸カルシウム供給手段により炭酸カルシウムが供給された領域に水分を供給する水分供給手段と、を有し、
制御装置は、排ガス中の硫黄酸化物濃度に基づいて、前記炭酸カルシウム供給手段から供給される前記炭酸カルシウムの量と、前記脱硫装置に供給される吸収液中の前記炭酸カルシウムの量を調整することを特徴とする排ガス処理システム。
【請求項２】
前記水分供給手段は、前記炭酸カルシウム供給手段が炭酸カルシウムを供給する端部の周囲に配置され、前記炭酸カルシウム供給手段の端部と二重管となり、前記端部の外周から前記水分を供給することを特徴とする請求項１に記載の排ガス処理システム。
【請求項３】
前記水分供給手段は、前記炭酸カルシウム供給手段が炭酸カルシウムを供給する位置よりも排ガスの流れ方向上流側の前記煙道に水分を供給することを特徴とする請求項１に記載の排ガス処理システム。
【請求項４】
前記水分は、蒸気であることを特徴とする請求項１から３のいずれか一項に記載の排ガス処理システム。
【請求項５】
前記水分は、液体であることを特徴とする請求項３に記載の排ガス処理システム。
【請求項６】
前記水分は、スーパーヒートした蒸気であることを特徴とする請求項１から３のいずれか一項に記載の排ガス処理システム。
【請求項７】
前記燃焼機関は、ボイラであることを特徴とする請求項１から６のいずれか一項に記載の排ガス処理システム。
【手続補正２】
【補正対象書類名】明細書
【補正対象項目名】発明の名称
【補正方法】変更
【補正の内容】
【発明の名称】排ガス処理システム
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
汚濁物を含む原水を浮上用水槽に送り、浮上用水槽内の水を利用して浮上させて、汚濁物を水から分離して回収する汚濁物浮上分離システムにおいて、汚濁物を浮上させるための浮上用水槽と、これらの水面高さを調整することで上澄み水を分離する水量調整槽とを備え、これらの槽が隣接配置され、前記水量調整槽に、上澄み水を回収する水量調節の堰と、堰を介して上澄み水が集められる配管が配されていることを特徴とする汚濁物浮上分離システム。
【請求項２】
汚濁物を含む原水を浮上用水槽に送り、浮上用水槽内の水を利用して浮上させて、汚濁物を水から分離して回収する汚濁物浮上分離システムにおいて、汚濁物を浮上させるための浮上用水槽と、これらの水面高さを調整することで上澄み水を分離する水量調整槽とを備え、これらの槽が隣接配置され、前記浮上用水槽に浮上した汚濁物を掻き取る掻取り手段と、掻取り手段で集めた汚濁物を集めて排出する樋を有することを特徴とする汚濁物浮上分離システム。
【請求項３】
前記浮上用水槽は円筒状であり、この浮上用水槽に浮上した汚濁物を掻き取る掻取り手段と、掻取り手段で集めた汚濁物を落下させて集めて排出する樋とを備え、前記掻取り手段は、前記浮上用水槽に配される中央の軸に連結されて回転し、前記樋は円筒状の浮上用水槽の中央から直線状に配されて、前記掻取り手段の下方位置において前記掻取り手段の回転方向において直線状に重ね合わされることを特徴とする請求項１又は２記載の汚濁物浮上分離システム。
【請求項４】
前記掻取り手段は、吊り下げられるように連結されて揺動動作するゴム板を備え、このゴム板は、前記樋の位置まで汚濁物を掻き取って前記樋に落下させると、前記樋を乗り越えるように揺動動作することを特徴とする請求項２又は３記載の汚濁物浮上分離システム。
【請求項５】
汚濁物を含む原水に凝集剤を投入して攪拌する攪拌槽を備え、前記攪拌槽で攪拌された水が前記浮上用水槽の中央まで配管により供給され、この中央の配管の外周に汚濁物の飛散を防止する仕切り板が配置されていることを特徴とする請求項１又は２記載の汚濁物浮上分離システム。
【請求項６】
前記水量調整槽に上下動する水量調節の堰が前記水量調整槽を仕切るように配置されるとともに、仕切られる他方側に分離した上澄み水を回収する配管が配されていることを特徴とする請求項１又は２記載の汚濁物浮上分離システム。
【請求項７】
汚濁物を含む原水に凝集剤を投入して攪拌する攪拌槽と、マイクロバブルを発生させるマイクロバブル発生装置を備え、前記浮上用水槽で原水中の汚濁物をフロック化し、該フロック化した汚濁物にマイクロバブルを付着させることで原水中から前記汚濁物を浮上分離させることを特徴とする請求項１ないし６のいずれか１項記載の汚濁物浮上分離システム。
【請求項８】
前記汚濁物は海苔を加工した後に排出されるもので、海苔が前記原水に含まれており、この海苔を汚濁物として分離することを特徴とする請求項７記載汚濁物浮上分離システム。
【手続補正２】
【補正対象書類名】明細書
【補正対象項目名】０００７
【補正方法】変更
【補正の内容】
【０００７】
本発明の汚濁物浮上分離システムは、汚濁物を含む原水を浮上用水槽に送り、浮上用水槽内の水を利用して浮上させて、汚濁物を水から分離して回収する汚濁物浮上分離システムにおいて、汚濁物を浮上させるための浮上用水槽と、これらの水面高さを調整することで上澄み水を分離する水量調整槽とを備え、これらの槽が隣接配置され、前記水量調整槽に上澄み水を回収する水量調節の堰と、堰を介して集められる配管とが配されていることを特徴とする。
本発明によれば、浮上用水槽とは別の隣接する水量調整槽で、水量調節の堰により上澄み水を配管に排出することにより、浮上用水槽に浮上した汚濁物とは別に効率的に上澄み水を回収することができ、前記浮上用水槽の水と混ざり合うようなことなく回収できる。
【手続補正３】
【補正対象書類名】明細書
【補正対象項目名】０００８
【補正方法】変更
【補正の内容】
【０００８】
本発明の汚濁物浮上分離システムは、汚濁物を含む原水を浮上用水槽に送り、浮上用水槽内の水を利用して浮上させて、汚濁物を水から分離して回収する汚濁物浮上分離システムにおいて、汚濁物を浮上させるための浮上用水槽と、これらの水面高さを調整することで上澄み水を分離する水量調整槽とを備え、これらの槽が隣接配置され、前記浮上用水槽に浮上した汚濁物を掻き取る掻取り手段と、掻取り手段で集めた汚濁物を集めて排出する樋を有することを特徴とする。
【手続補正４】
【補正対象書類名】明細書
【補正対象項目名】００１３
【補正方法】変更
【補正の内容】
【００１３】
本発明としては、汚濁物を含む原水に凝集剤を投入して攪拌する攪拌槽を備え、前記攪拌槽で攪拌された水が前記浮上用水槽の中央まで配管により供給され、この中央の配管の外周に汚濁物の飛散を防止する仕切り板が配置されていることを特徴とする。前記仕切り板は、後述するマイクロバブルが付着した汚濁物を中央位置で浮上させる機能を有する。
本発明によれば、前記攪拌槽で攪拌された水が前記浮上用水槽の中央まで配管により供給されて、仕切り板を介して前記浮上用水槽の中央において汚濁物を上昇させる。
【手続補正５】
【補正対象書類名】明細書
【補正対象項目名】００１４
【補正方法】変更
【補正の内容】
【００１４】
本発明としては、汚濁物を含む原水に凝集剤を投入して攪拌する攪拌槽と、マイクロバブルを発生させるマイクロバブル発生装置を備え、前記浮上用水槽で原水中の汚濁物をフロック化し、該フロック化した汚濁物にマイクロバブルを付着させることで原水中から前記汚濁物を浮上分離させることが好ましい。
本発明によれば、海苔などの食品加工の際に排出される比重の小さな汚濁物に対してマイクロバブルを付着させて効果的に浮上させることができる。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
ボイラからの排ガス中の窒素酸化物を除去する脱硝装置と、
窒素酸化物除去後の排ガス中の熱を回収する空気予熱器と、
熱回収後の排ガス中の煤塵を除去する集塵器と、
除塵後の排ガス中の硫黄酸化物を除去する気液接触式の脱硫装置と、
前記集塵器の前流側の供給部で排ガス中にＳＯ3除去剤を排ガス煙道内に供給するＳＯ3除去剤供給装置と、
前記空気予熱器の後流側で、前記ＳＯ3除去剤を排ガス煙道内に供給する供給部の前流側の排ガス煙道内において、排ガスに水分を供給して湿潤状態とする湿潤状態処理部とを備えると共に、
前記湿潤状態処理部が、
前記排ガスを排出する排ガス煙道と直交する方向に立ち上がる立ち上げ部と、
前記立ち上げ部内を、ガス上昇通路と、ガス降下通路とに仕切る仕切部と、
前記仕切部で仕切られた前記ガス降下通路内に、液滴を供給する液滴供給部と、を備えることを特徴とする排ガス処理装置。
【請求項２】
請求項１において、
前記立ち上げ部の下方側にホッパーを備えることを特徴とする排ガス処理装置。
【請求項３】
請求項１又は２において、
前記湿潤状態処理部へ、前記脱硫装置からの脱硫排水又は脱水濾液を供給することを特徴とする排ガス処理装置。
【請求項４】
請求項１乃至３のいずれか一つにおいて、
前記集塵器の前側で排ガス中にＨｇ除去剤を供給するＨｇ除去剤供給手段を備えることを特徴とする排ガス処理装置。
【請求項５】
請求項１乃至４のいずれか一つにおいて、
前記集塵器で回収したＳＯ3除去剤を含む集塵灰の一部を、前記集塵器の前側のＳＯ3除去剤を供給する近傍の排ガス中に供給する返送ラインを備えることを特徴とする排ガス処理装置。
【請求項６】
請求項１乃至５のいずれか一つにおいて、
前記ＳＯ3除去剤を供給する供給部と前記集塵器との間に、ガスガスヒータを備えることを特徴とする排ガス処理装置。
【請求項７】
ボイラからの排ガス中の窒素酸化物を除去する脱硝装置と、
窒素酸化物除去後の排ガス中の熱を回収する空気予熱器と、
熱回収後の排ガスの熱を熱交換するガスガスヒータと、
熱回収後の排ガス中の煤塵を除去する集塵器と、
除塵後の排ガス中の硫黄酸化物を除去する気液接触式の脱硫装置と、
前記空気予熱器の後流側であると共に前記ガスガスヒータの前流側の供給部で排ガス中にＳＯ3除去剤を排ガス煙道内に供給するＳＯ3除去剤供給装置と、
前記ガスガスヒータの後流側であると共に前記集塵器の前流側の排ガス煙道内において、排ガスの一部に水分を供給して湿潤状態とする湿潤状態処理部とを備えると共に、
前記湿潤状態処理部が、
前記排ガスを排出する排ガス煙道と直交する方向に立ち上がる立ち上げ部と、
前記立ち上げ部内を、ガス上昇通路と、ガス降下通路とに仕切る仕切部と、
前記仕切部で仕切られた前記ガス降下通路内に、液滴を供給する液滴供給部と、を備えることを特徴とする排ガス処理装置。
【請求項８】
請求項７において、
前記立ち上げ部の下方側にホッパーを備えることを特徴とする排ガス処理装置。
【請求項９】
請求項７又は８において、
前記湿潤状態処理部へ、前記脱硫装置からの脱硫排水又は脱水濾液を供給することを特徴とする排ガス処理装置。
【請求項１０】
請求項７乃至９のいずれか一つにおいて、
前記集塵器の前側で排ガス中にＨｇ除去剤を供給するＨｇ除去剤供給手段を備えることを特徴とする排ガス処理装置。
【請求項１１】
請求項７乃至１０のいずれか一つにおいて、
前記集塵器で回収したＳＯ3除去剤を含む集塵灰の一部を、前記集塵器の前側のＳＯ3除去剤を供給する近傍の排ガス中に供給する返送ラインを備えることを特徴とする排ガス処理装置。
【請求項１２】
請求項１１において、
前記返送ラインに、前記集塵灰と前記除去剤とに比重分離する比重分離器を備えることを特徴とする排ガス処理装置。
【請求項１３】
請求項１又は請求項７において、
前記液滴供給部に、該液滴供給部の周囲に付着する固形物を脱落させる除媒装置を設けることを特徴とする排ガス処理装置。
【請求項１４】
請求項１又は請求項７において、
前記集塵器と前記脱硫装置の間の排ガス煙道に、前記排ガス中のＳＯ3濃度を監視するＳＯ3濃度監視装置を設けることを特徴とする排ガス処理装置。
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
閉鎖系で循環するアミン吸収液を用いてＣＯ2ガスを含む導入ガスからＣＯ2ガス吸収を行う吸収塔と、
前記吸収塔でＣＯ2ガスを吸収したアミン吸収液からＣＯ2ガスを放出する吸収液再生塔と、
前記吸収塔でＣＯ2ガスを吸収したアミン吸収液をリッチ溶液として前記吸収塔から抜出すと共に、前記吸収液再生塔に導入するリッチ溶液供給ラインと、
前記吸収液再生塔で再生されたアミン吸収液をリーン溶液として、前記吸収液再生塔から抜出すと共に、前記吸収塔に導入するリーン溶液供給ラインと、
前記リーン溶液供給ラインの前記吸収塔の入口部近傍でリーン液試料を採取する第１採取部と、
前記リッチ溶液供給ラインの前記吸収塔の出口部近傍でリッチ液試料を採取する第２採取部と、
採取した前記リーン液試料及び前記リッチ液試料中のＣＯ2濃度を分析する全炭素分析装置と、を備え、
前記第１採取部での前記リーン液試料と、前記第２採取部での前記リッチ液試料を各々同時間帯で採取し、前記リーン液試料及び前記リッチ液試料中のＣＯ2ガスの濃度を計測し、これらの計測結果に基づき、前記吸収塔に導入するアミン吸収液の液流量の制御又はリボイラ熱量負荷の制御をすることを特徴とするガス吸収・再生装置。
【請求項２】
請求項１において、
前記第１採取部での前記リーン液試料中のアミン濃度を計測するイオンクロマトグラフィー分析装置を有し、
ＣＯ2濃度を計測する試料採取と同時間帯で試料を採取してアミン濃度を計測し、このアミン濃度の計測結果に基づき、吸収塔内の水バランスの調整又はアミン吸収液の液循環量の制御をすることを特徴とするガス吸収・再生装置。
【請求項３】
請求項１又は２において、
前記吸収塔が前記導入ガスと前記アミン吸収液とを対向接触する充填部と、
前記充填部のガス流れ後流側に設けられ、排出ガスを洗浄水により洗浄する洗浄部と、
前記吸収塔の塔頂部から、ＣＯ2が除去された排出ガスを排出するガス排出ラインと、
前記ガス排出ラインの吸収塔の出口部近傍でガス試料を採取する第３採取部と、を備え、
前記第３採取部でのガスの採取を、前記リーン液試料及びリッチ液試料の採取時間と同時間帯で採取し、
前記排出ガス中に同伴するアミン吸収液のアミン濃度を計測し、この計測結果に基づき、
前記洗浄水の温度を調整する制御、前記吸収塔に導入するアミン吸収液の液流量の制御又はリボイラ熱量負荷の制御のいずれかをすることを特徴とするガス吸収・再生装置。
【請求項４】
請求項１乃至３のいずれか一つのガス吸収・再生装置を用い、
前記導入ガスがＣＯ2を含むボイラ排ガスである場合、
前記リーン溶液及び前記リッチ溶液の両者のＣＯ2濃度と、
前記リーン溶液のアミン吸収液のアミン濃度を同時に把握し、ＣＯ2吸収回収率が所定の回収率を満足する場合、リボイラ熱量を低減することを特徴とするガス吸収・再生装置の運転方法。
【請求項５】
請求項１乃至３のいずれか一つのガス吸収・再生装置を用い、
前記導入ガスがＨ2Ｓ及びＣＯ2を含むガス化ガスである場合、
前記リーン溶液及び前記リッチ溶液の両者のＣＯ2濃度と、
前記リーン溶液中のアミン濃度を同時に把握し、Ｈ2Ｓの濃度が所定値を満足する場合、ＣＯ2吸収量を最小化することを特徴とするガス吸収・再生装置の運転方法。
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
シリコン含有膜とシリコン酸化膜が交互に積層された積層膜および前記積層膜の上方に配置された無機膜をプラズマエッチングするドライエッチング方法において、
ＮＦ3ガスとＣＨ3Ｆガスの混合ガスを用いて前記無機膜と前記積層膜をエッチングすることを特徴とするドライエッチング方法。
【請求項２】
シリコン含有膜とシリコン酸化膜が交互に積層された積層膜および前記積層膜の上方に配置された無機膜をプラズマエッチングするドライエッチング方法において、
ＮＦ3ガスとＣＨ3Ｆガスの混合ガスを用いて前記無機膜と前記積層膜を一貫してエッチングすることを特徴とするドライエッチング方法。
【請求項３】
請求項１または請求項２に記載のドライエッチング方法において、
前記シリコン含有膜は、ポリシリコン膜であって、
前記混合ガスにさらにＯ2ガスとＮ2ガスとＨｅガスを混合することを特徴するドライエッチング方法。
【請求項４】
請求項１ないし請求項３のいずれか一項に記載のドライエッチング方法において、
前記混合ガスの流量に対する前記ＮＦ3ガスの流量の割合が４０％ないし７０％の範囲内の値であることを特徴とするドライエッチング方法。
【請求項５】
請求項１ないし請求項４のいずれか一項に記載のドライエッチング方法において、
前記無機膜と前記積層膜が配置された試料に時間変調された高周波電力を供給し、
前記時間変調のデューティー比は、前記試料の面積に対する被エッチング面積の割合であるパターン開口率に基づいて求められていることを特徴とするドライエッチング方法。
【請求項６】
請求項５に記載のドライエッチング方法において、
前記時間変調のデューティー比は、５０％ないし９５％の範囲内の値であることを特徴とするドライエッチング方法。
【手続補正２】
【補正対象書類名】明細書
【補正対象項目名】０００８
【補正方法】変更
【補正の内容】
【０００８】
本発明は、シリコン含有膜とシリコン酸化膜が交互に積層された積層膜および前記積層膜の上方に配置された無機膜をプラズマエッチングするドライエッチング方法において、ＮＦ3ガスとＣＨ3Ｆガスの混合ガスを用いて前記無機膜と前記積層膜をエッチングすることを特徴とする。
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
内部に冷媒を供給するための供給口と、内部の冷媒を外部に排出するための排出口と、を備えたケースと、
板状とされ、前記ケース内に板厚方向に間隔をあけて複数設けられ、隣接する同士の間を冷媒が流れるフィンと、
前記フィンに形成され、該フィンの板厚方向に突出し、隣接する前記フィンに当接する突出部と、
前記フィンに形成された挿入孔に挿入されて複数の前記フィンを貫通し、隣接する前記フィン同士の相対移動を拘束する拘束部材と、
を有する冷却装置。
【請求項２】
前記突出部は、筒状とされ、内部が前記挿入孔を構成している、請求項１に記載の冷却装置。
【請求項３】
前記突出部は、前記フィンにバーリング加工によって形成された筒状の立ち上がり部分である、請求項２に記載の冷却装置。
【請求項４】
前記突出部は、前記フィンの長手方向の両端部側にそれぞれ形成されている、請求項１〜３のいずれか１項に記載の冷却装置。
【請求項５】
前記フィンの端面は、前記ケースの内面にろう付けされている、請求項１〜４のいずれか１項に記載の冷却装置。
【請求項６】
板状とされ、板厚方向に突出する突出部及び挿入孔が形成されたフィンの前記挿入孔に拘束部材を挿入しながら、前記フィンの前記突出部が隣接する前記フィンに当接するように複数の前記フィンを並べる組付工程と、
内部に冷媒を供給するための供給口と、内部の冷媒を外部に排出するための排出口と、を備えたケースの内部に前記フィンを設置する設置工程と、
を有する冷却装置の製造方法。
【請求項７】
前記組付工程の前に、板状とされたフィンにバーリング加工によって内部が前記挿入孔を構成する前記突出部としての筒状の立ち上がり部分を形成する加工工程を有する請求項６に記載の冷却装置の製造方法。
【請求項８】
前記加工工程では、前記突出部を前記フィンの長手方向の両端部側にそれぞれ形成する、請求項７に記載の冷却装置の製造方法。
【請求項９】
前記設置工程では、前記フィンの端面を前記ケースの内面にろう付けする、請求項６〜８のいずれか１項に記載の冷却装置の製造方法。
【手続補正２】
【補正対象書類名】明細書
【補正対象項目名】００２２
【補正方法】変更
【補正の内容】
【００２２】
本発明の請求項８に記載の冷却装置の製造方法は、請求項７に記載の冷却装置の製造方法において、前記加工工程では、前記突出部を前記フィンの長手方向の両端部側にそれぞれ形成する。
【手続補正３】
【補正対象書類名】明細書
【補正対象項目名】００７６
【補正方法】変更
【補正の内容】
【００７６】
フィン７２の突出部７６の外径は、フィン７３の突出部７７の外径よりも大きくされている。また、フィン７３の突出部７７の外径は、フィン７４の突出部７８の外径よりも大きくされている。そして、フィン７４の突出部７８の外径は、フィン７５の突出部７９の外径よりも大きくされている。すなわち、供給口２６Ａに近い領域に配置されるフィンほど突出部の外径が大きくされている。
【手続補正４】
【補正対象書類名】図面
【補正対象項目名】図４
【補正方法】変更
【補正の内容】
【図４】
2015144196.tif 000001
【手続補正５】
【補正対象書類名】図面
【補正対象項目名】図８
【補正方法】変更
【補正の内容】
【図８】
2015144196.tif 000002
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技制御プログラムに従って遊技動作を制御する遊技制御手段を備え、
前記遊技制御プログラムは、規定周期毎に割込み処理を実行し、
遊技中における所定の状態の発生に伴い、該所定の状態の発生を認識させるための情報信号を外部に出力する遊技機において、
前記遊技中における所定の状態の発生を検出する状態検出手段と、
前記情報信号の出力状態をオフ状態から予め設定されている所定期間にわたってオン状態にて出力した後、該情報信号の出力状態をオフ状態とし、前記情報信号を再度出力することが必要な場合において、前記情報信号の出力状態をオフ状態に切り替えた直後は、次に出力状態をオン状態とするまで予め設定されている所定期間 にわたって出力状態をオフ状態に維持した後でオン状態への切り替えを実行する信号出力手段と、
前記信号出力手段の出力状態の切り替えタイミングを計時するためのデータおよび前記信号出力手段において前記情報信号の出力状態をオン状態とする回数が特定可能なデータを記憶する複数ビットで構成された記憶部を備えたカウンタ手段と、
を備え、
前記カウンタ手段は、
前記規定周期毎に前記記憶部のうち、前記信号出力手段の出力状態の切り替えタイミングを計時するためのデータに関する記憶領域の最下位ビットを減算するビット更新手段と、
前記記憶部のうち信号切替判定領域の状態を検出する判定領域検出手段と、
前記状態検出手段が前記所定の状態の発生を検出する毎に、前記記憶部のうち、前記信号出力手段において前記情報信号の出力状態をオン状態とする回数が特定可能なデータに関する記憶領域の状態検出ビットを加算する加算手段と、
を有し、
前記信号出力手段は、
前記信号切替判定領域の状態に応じて、前記情報信号のオン状態とオフ状態とを切り換えることを特徴とする遊技機。
【手続補正２】
【補正対象書類名】明細書
【補正対象項目名】０００５
【補正方法】変更
【補正の内容】
【０００５】
上記課題を解決するために本発明は、遊技制御プログラムに従って遊技動作を制御する遊技制御手段（メイン基板など）を備え、
前記遊技制御プログラムは、規定周期（４ｍｓなど）毎に割込み処理（遊技進行割込み処理など）を実行し、
遊技中における所定の状態（始動入賞など）の発生に伴い、該所定の状態の発生を認識させるための情報信号（外部情報信号など）を外部に出力する遊技機において、
前記遊技中における所定の状態の発生を検出する状態検出手段（始動入賞検出装置、入球判定手段など）と、
前記情報信号の出力状態をオフ状態から予め設定されている所定期間（５１２ｍｓなど）にわたってオン状態にて出力した後、該情報信号の出力状態をオフ状態とし、前記情報信号を再度出力することが必要な場合において、前記情報信号の出力状態をオフ状態に切り替えた直後は、次に出力状態をオン状態とするまで予め設定されている所定期間（５１２ｍｓなど）にわたって出力状態をオフ状態に維持した後でオン状態への切り替えを実行する信号出力手段と、
前記信号出力手段の出力状態の切り替えタイミングを計時するためのデータおよび前記信号出力手段において前記情報信号の出力状態をオン状態とする回数が特定可能なデータを記憶する複数ビットで構成された記憶部を備えたカウンタ手段（メイン基板のＣＰＵやＲＷＭなど）と、
を備え、
前記カウンタ手段は、
前記規定周期毎に前記記憶部のうち、前記信号出力手段の出力状態の切り替えタイミングを計時するためのデータに関する記憶領域の最下位ビットを減算するビット更新手段と、
前記記憶部のうち信号切替判定領域（判定ビットなど）の状態を検出する判定領域検出手段（判定ビット検出手段など）と、
前記状態検出手段が前記所定の状態の発生を検出する毎に、前記記憶部のうち、前記信号出力手段において前記情報信号の出力状態をオン状態とする回数が特定可能なデータに関する記憶領域（外端信号出力回数記憶部など）の状態検出ビットを加算する加算手段と、
を有し、
前記信号出力手段は、
前記信号切替判定領域の状態に応じて、前記情報信号のオン状態とオフ状態とを切り換えることを特徴とする遊技機である。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
打球発射装置により発射されて遊技盤に区画形成される遊技領域を流下する遊技球を受け入れることができる複数の受入口が遊技領域の所定位置にそれぞれ配置されるパチンコ遊技機であって、
矩形箱状を有し、当該矩形箱状の一の検出側面に対して水平方向と比べて垂直方向に感度が強い指向性を有する第１の検出領域内における磁気を検出するとともに、該一の検出側面と反対側の他の検出側面に対して水平方向と比べて垂直方向に感度が強い指向性を有する第２の検出領域内における磁気を検出する磁気検出手段と、
該磁気検出手段が前記第１の検出領域内における磁気と前記第２の検出領域内における磁気とを検出した旨を伝える磁気検出信号が入力される入力回路を有する制御基板と、
前記制御基板に前記磁気検出信号が入力されることに基づいて、音または光による異常報知を実行可能な異常報知実行手段と、を備え、
前記磁気検出手段は、前記複数の受入口のうち第１の特定受入口が前記第１の検出領域内に入る位置となるように、かつ、前記複数の受入口のうち前記第１の特定受入口が配置される位置と異なる位置に配置される第２の特定受入口が前記第２の検出領域内に入る位置となるように、前記遊技盤の所定位置に配置され、前記第１の特定受入口に近づく磁石と、前記第２の特定受入口に近づく磁石と、をそれぞれ検出して前記磁気検出信号を前記制御基板の入力回路に出力し、
前記制御基板と前記磁気検出手段とを電気的に接続するための配線に断線又は該配線が外れているときには、当該制御基板の入力回路に前記磁気検出信号が入力されているときの論理状態が維持されるように当該制御基板の入力回路が構成されており、
前記異常報知実行手段は、前記磁気検出手段によって磁気を検出した領域が前記第１の検出領域と前記第２の検出領域とのいずれであるかにかかわらず同様の前記異常報知を実行可能であることを特徴とするパチンコ遊技機。
【手続補正２】
【補正対象書類名】明細書
【補正対象項目名】０００１
【補正方法】変更
【補正の内容】
【０００１】
本発明は、パチンコ遊技機に関するものである。
【手続補正３】
【補正対象書類名】明細書
【補正対象項目名】０００２
【補正方法】変更
【補正の内容】
【０００２】
従来より、始動口へ遊技球が受入れられる（始動入賞する）と遊技盤の中央に設けられた中央表示装置（表示装置）の液晶表示ディスプレイにおいて複数種類の識別情報としての図柄を複数変動表示するとともに、これらの図柄を順次停止表示して同一図柄が揃うと大当りとなるパチンコ機（パチンコ遊技機）が提案されている（例えば、特許文献１、２）。
【手続補正４】
【補正対象書類名】明細書
【補正対象項目名】０００３
【補正方法】削除
【補正の内容】
【手続補正５】
【補正対象書類名】明細書
【補正対象項目名】０００５
【補正方法】変更
【補正の内容】
【０００５】
上記特許文献１、２に記載されるパチンコ機においては、ガラス表面に磁石を当てて流下する遊技球を受け止めて、ある程度の大きさを有する「ぶどう状」に集まった状態に形成した後にその磁石を離すことによって、遊技球の始動口に入球する確率を高めるという不正行為（いわゆる、「磁石ゴト」）が行われるおそれがあった。
【手続補正６】
【補正対象書類名】明細書
【補正対象項目名】０００６
【補正方法】変更
【補正の内容】
【０００６】
本発明は、このような事情に鑑みてなされたものであり、その目的とするところは、磁石ゴトによる不正行為を検出することができるパチンコ遊技機を提供することにある。
【手続補正７】
【補正対象書類名】明細書
【補正対象項目名】０００８
【補正方法】変更
【補正の内容】
【０００８】
（解決手段１）
打球発射装置により発射されて遊技盤に区画形成される遊技領域を流下する遊技球を受け入れることができる複数の受入口が遊技領域の所定位置にそれぞれ配置されるパチンコ遊技機であって、矩形箱状を有し、当該矩形箱状の一の検出側面に対して水平方向と比べて垂直方向に感度が強い指向性を有する第１の検出領域内における磁気を検出するとともに、該一の検出側面と反対側の他の検出側面に対して水平方向と比べて垂直方向に感度が強い指向性を有する第２の検出領域内における磁気を検出する磁気検出手段と、該磁気検出手段が前記第１の検出領域内における磁気と前記第２の検出領域内における磁気とを検出した旨を伝える磁気検出信号が入力される入力回路を有する制御基板と、前記制御基板に前記磁気検出信号が入力されることに基づいて、音または光による異常報知を実行可能な異常報知実行手段と、を備え、前記磁気検出手段は、前記複数の受入口のうち第１の特定受入口が前記第１の検出領域内に入る位置となるように、かつ、前記複数の受入口のうち前記第１の特定受入口が配置される位置と異なる位置に配置される第２の特定受入口が前記第２の検出領域内に入る位置となるように、前記遊技盤の所定位置に配置され、前記第１の特定受入口に近づく磁石と、前記第２の特定受入口に近づく磁石と、をそれぞれ検出して前記磁気検出信号を前記制御基板の入力回路に出力し、前記制御基板と前記磁気検出手段とを電気的に接続するための配線に断線又は該配線が外れているときには、当該制御基板の入力回路に前記磁気検出信号が入力されているときの論理状態が維持されるように当該制御基板の入力回路が構成されており、前記異常報知実行手段は、前記磁気検出手段によって磁気を検出した領域が前記第１の検出領域と前記第２の検出領域とのいずれであるかにかかわらず同様の前記異常報知を実行可能であることを特徴とするパチンコ遊技機。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
本発明のパチンコ遊技機においては、磁石ゴトによる不正行為を検出することができる。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
遊技状態に応じた演出画面を表示する表示装置と、
前記遊技領域内の所定位置に配置された第一可動体と、
該第一可動体を遊技者によって視認され難い通常位置と前記演出画面の前面に出現して遊技者によって視認される出現位置との間で移動させる第一駆動機構と、
前記第一可動体とは異なる位置に配置された第二可動体と、
前記出現位置に接近した所定位置であって遊技者によって前記第二可動体が視認される第一位置と、前記出現位置に対して該第一位置よりも離れた所定位置であって遊技者によって視認され難い第二位置との間で前記第二可動体を移動させる第二駆動機構と、
を備え、
前記第一可動体が前記通常位置から前記出現位置に移動したことが遊技者によって視認されながら前記第二可動体が前記第二位置から前記第一位置に移動した際、
該第一可動体と該第二可動体とが一体となった演出態様として認識可能にされ、
前記第一可動体と前記第二可動体とが前記演出画面の前面にあるものの、当該演出画面の一部は該第一可動体及び該第二可動体によって遮られることなく遊技者によって視認可能であり、
さらに、前記第一駆動機構による前記第一可動体の移動に関して移動度合いを制御する移動制御手段と、
前記第一可動体が前記出現位置に移動された際には、前記演出態様を変化させ得る態様変化手段と、を備える
ことを特徴とする遊技機。
【請求項２】
前記第一可動体が所定軸周りに回転可能とされ、
前記第一駆動機構は、前記第一可動体が前記出現位置にあるときに、該第一可動体を回転駆動させる
ことを特徴とする請求項１に記載の遊技機。
【請求項３】
前記遊技媒体が遊技球である
ことを特徴とする請求項１又は２に記載の遊技機。
【手続補正２】
【補正対象書類名】明細書
【補正対象項目名】０００６
【補正方法】変更
【補正の内容】
【０００６】
前記目的を達成するために、本発明は、遊技者の操作によって遊技媒体が打ち込まれる遊技領域と、遊技状態に応じた演出画面を表示する表示装置と、前記遊技領域内の所定位置に配置された第一可動体と、該第一可動体を遊技者によって視認され難い通常位置と前記演出画面の前面に出現して遊技者によって視認される出現位置との間で移動させる第一駆動機構と、前記第一可動体とは異なる位置に配置された第二可動体と、前記出現位置に接近した所定位置であって遊技者によって前記第二可動体が視認される第一位置と、前記出現位置に対して該第一位置よりも離れた所定位置であって遊技者によって視認され難い第二位置との間で前記第二可動体を移動させる第二駆動機構と、を備え、前記第一可動体が前記通常位置から前記出現位置に移動したことが遊技者によって視認されながら前記第二可動体が前記第二位置から前記第一位置に移動した際、該第一可動体と該第二可動体とが一体となった演出態様として認識可能にされ、前記第一可動体と前記第二可動体とが前記演出画面の前面にあるものの、当該演出画面の一部は該第一可動体及び該第二可動体によって遮られることなく遊技者によって視認可能であり、さらに、前記第一駆動機構による前記第一可動体の移動に関して移動度合いを制御する移動制御手段と、前記第一可動体が前記出現位置に移動された際には、前記演出態様を変化させ得る態様変化手段と、を備えることを特徴とする遊技機である。
さらに、本発明の態様を例示すると次のとおりである。
手段１：遊技機において、
「遊技者の操作によって遊技媒体が打ち込まれる遊技領域と、
該遊技領域における遊技者と対面する方向に対して直角方向の外周を区画する枠板状の前構成部材と、
該前構成部材の後側に配置されると共に前記遊技領域の後端を区画し、正面視で該遊技領域内の略中央に前後方向へ貫通した開口部を有する板状の遊技パネルと、
該遊技パネルの前記開口部へ前側から取付けられ、前後方向に貫通し下内縁から上内縁までの高さが前記遊技パネルの下端から前記下内縁までの高さの０．７倍〜１．２倍の高さとされた窓部を有する枠状のセンター役物と、
該センター役物の前記窓部を通して遊技者側から視認可能とされると共に前記遊技パネルの後側に配置され、所定の演出画像を表示可能な演出表示手段と、
該演出表示手段と前記遊技パネルとの間に配置され、左右方向の幅が前記センター役物の前記窓部の幅よりも大きく且つ上下方向の高さが前記遊技パネルの下端から前記窓部の前記下内縁までの高さの０．７倍〜１倍の高さとされた板状の可動体と、
該可動体の上端が前記窓部の前記下内縁と略同じ高さとなる退避位置から、前記可動体の上端が前記窓部の前記上内縁と可及的に同じ高さとなる出現位置までの間で、前記可動体を上下方向へスライド可能に支持すると共に、前記遊技領域内へ遊技媒体が打ち込まれることで変化する遊技状態に応じて前記可動体を上下方向へスライド駆動させる駆動機構と
を具備する」ものであることを特徴とする。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
遊技状態に応じた演出画面を表示する表示装置と、
前記遊技領域内の所定位置に配置された第一可動体と、
該第一可動体を遊技者によって視認され難い通常位置と前記演出画面の前面に出現して遊技者によって視認される出現位置との間で移動させる第一駆動機構と、
前記第一可動体とは異なる位置に配置された第二可動体と、
前記出現位置に接近した所定位置であって遊技者によって前記第二可動体が視認される第一位置と、前記出現位置に対して該第一位置よりも離れた所定位置であって遊技者によって視認され難い第二位置との間で前記第二可動体を移動させる第二駆動機構と、
を備え、
前記第一可動体が前記通常位置から前記出現位置に移動したことが遊技者によって視認されながら前記第二可動体が前記第二位置から前記第一位置に移動した際、
該第一可動体と該第二可動体とが一体となった演出態様として認識可能にされ、
前記第一可動体と前記第二可動体とが前記演出画面の前面にあるものの、当該演出画面の一部は該第一可動体及び該第二可動体によって遮られることなく遊技者によって視認可能であり、
さらに、前記第一可動体が前記出現位置に移動された際には、前記演出態様を変化させ得る態様変化手段を備え、
前記通常位置にある前記第一可動体は、全体的には遊技者によって視認され難いものの、遊技機を正面視した場合に前記表示装置の前面において当該第一可動体の微小部位が遊技者から視認可能にされる
ことを特徴とする遊技機。
【請求項２】
前記第一可動体が所定軸周りに回転可能とされ、
前記第一駆動機構は、前記第一可動体が前記出現位置にあるときに、該第一可動体を回転駆動させる
ことを特徴とする請求項１に記載の遊技機。
【請求項３】
前記遊技媒体が遊技球である
ことを特徴とする請求項１又は２に記載の遊技機。
【手続補正２】
【補正対象書類名】明細書
【補正対象項目名】０００８
【補正方法】変更
【補正の内容】
【０００８】
前記目的を達成するために、本発明は、遊技者の操作によって遊技媒体が打ち込まれる遊技領域と、遊技状態に応じた演出画面を表示する表示装置と、前記遊技領域内の所定位置に配置された第一可動体と、該第一可動体を遊技者によって視認され難い通常位置と前記演出画面の前面に出現して遊技者によって視認される出現位置との間で移動させる第一駆動機構と、前記第一可動体とは異なる位置に配置された第二可動体と、前記出現位置に接近した所定位置であって遊技者によって前記第二可動体が視認される第一位置と、前記出現位置に対して該第一位置よりも離れた所定位置であって遊技者によって視認され難い第二位置との間で前記第二可動体を移動させる第二駆動機構と、を備え、前記第一可動体が前記通常位置から前記出現位置に移動したことが遊技者によって視認されながら前記第二可動体が前記第二位置から前記第一位置に移動した際、該第一可動体と該第二可動体とが一体となった演出態様として認識可能にされ、前記第一可動体と前記第二可動体とが前記演出画面の前面にあるものの、当該演出画面の一部は該第一可動体及び該第二可動体によって遮られることなく遊技者によって視認可能であり、さらに、前記第一可動体が前記出現位置に移動された際には、前記演出態様を変化させ得る態様変化手段を備え、前記通常位置にある前記第一可動体は、全体的には遊技者によって視認され難いものの、遊技機を正面視した場合に前記表示装置の前面において当該第一可動体の微小部位が遊技者から視認可能にされることを特徴とする遊技機である。
さらに、本発明の態様を例示すると次のとおりである。
手段１：遊技機において、
「遊技者の操作によって遊技媒体が打ち込まれる遊技領域と、
該遊技領域における遊技者と対面する方向に対して直角方向の外周を区画する枠板状の前構成部材と、
該前構成部材の後側に配置されると共に前記遊技領域の後端を区画し、正面視で該遊技領域内の略中央に前後方向へ貫通した所定広さの開口部を有する板状の遊技パネルと、
該遊技パネルの前記開口部に前側から取付けられ、前後方向へ貫通した窓部を有する枠状のセンター役物と、
該センター役物の後側で前後方向の異なる位置に夫々配置されると共に、少なくとも正面視における前記窓部内側で所定方向へ夫々移動可能とされ、少なくとも二つ同士の間で一方の正面投影範囲と重なることが可能とされた夫々異なる形状の複数の可動装飾体と、
各該可動装飾体を、前記遊技領域内へ遊技媒体が打ち込まれることで変化する遊技状態に応じて夫々独立して移動させる複数の駆動機構と
を具備する」ことを特徴とする。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域と、
遊技状態に応じた演出画面を表示する表示装置と、
前記遊技領域内の所定位置に配置された第一可動体と、
該第一可動体を遊技者によって視認され難い通常位置と前記演出画面の前面に出現して遊技者によって視認される出現位置との間で移動させる第一駆動機構と、
前記第一可動体とは異なる位置に配置された第二可動体と、
前記出現位置に接近した所定位置であって遊技者によって前記第二可動体が視認される第一位置と、前記出現位置に対して該第一位置よりも離れた所定位置であって遊技者によって視認され難い第二位置との間で前記第二可動体を移動させる第二駆動機構と、
を備え、
前記表示装置における所定の表示領域を遮っていく態様で、前記第一駆動機構による前記第一可動体の前記通常位置から前記出現位置への移動と前記第二駆動機構による前記第二可動体の前記第二位置から前記第一位置への移動とが連動して行われ、
前記第一可動体が前記通常位置から前記出現位置に移動したことが遊技者によって視認されながら前記第二可動体が前記第二位置から前記第一位置に移動した際、
該第一可動体と該第二可動体とが一体となった演出態様として認識可能にされ、
前記第一可動体と前記第二可動体とが前記演出画面の前面にあるものの、当該演出画面の一部は該第一可動体及び該第二可動体によって遮られることなく遊技者によって視認可能であり、
さらに、前記第一可動体が前記出現位置に移動された際には、前記演出態様を変化させ得る態様変化手段と、を備える
ことを特徴とする遊技機。
【請求項２】
前記第一可動体が所定軸周りに回転可能とされ、
前記第一駆動機構は、前記第一可動体が前記出現位置にあるときに、該第一可動体を回転駆動させる
ことを特徴とする請求項１に記載の遊技機。
【請求項３】
前記遊技媒体が遊技球である
ことを特徴とする請求項１又は２に記載の遊技機。
【手続補正２】
【補正対象書類名】明細書
【補正対象項目名】０００８
【補正方法】変更
【補正の内容】
【０００８】
前記目的を達成するために、本発明は、遊技者に有利な有利遊技状態を付与するか否かの抽選を実行可能な遊技機であって、遊技状態に応じた所定の演出を表示する表示装置と、前記遊技機内の所定位置に配置された第一可動体と、前記第一可動体を遊技者によって視認され難い通常位置と前記表示装置の前面に出現して遊技者によって視認される出現位置との間で移動させる第一駆動機構と、前記第一可動体とは異なる位置に配置された第二可動体と、前記出現位置の方向に接近した所定位置であって遊技者によって前記第二可動体が視認される第一位置と、前記出現位置に対して該第一位置よりも離れた所定位置であって遊技者によって視認され難い第二位置との間で前記第二可動体を移動させる第二駆動機構と、を備え、前記表示装置における所定の表示領域を遮っていく態様で、前記第一駆動機構による前記第一可動体の前記通常位置から前記出現位置への移動と前記第二駆動機構による前記第二可動体の前記第二位置から前記第一位置への移動とが連動して行われ、前記第一可動体が前記通常位置から前記出現位置に移動したことが遊技者によって視認されながら前記第二可動体が前記第二位置から前記第一位置に移動した際、該第一可動体と該第二可動体とが一体となった演出態様として認識可能にされ、前記第一可動体と前記第二可動体とが前記表示装置の前面にあるものの、当該表示装置に表示される演出の一部は該第一可動体及び該第二可動体によって遮られることなく遊技者によって視認可能であり、さらに、前記第一可動体が前記出現位置に移動された際には、前記演出態様を変化させ得る態様変化手段と、を備えることを特徴とする遊技機である。
さらに、本発明の態様を例示すると次のとおりである。
手段１：遊技機において、
「遊技者の操作によって遊技媒体が打ち込まれる遊技領域と、
該遊技領域における遊技者と対面する方向に対して直角方向の外周を区画する枠板状の前構成部材と、
該前構成部材の後側に配置されると共に前記遊技領域の後端を区画し、正面視で該遊技領域内の略中央に前後方向へ貫通した所定広さの開口部を有する板状の遊技パネルと、
該遊技パネルの前記開口部に前側から取付けられ、前後方向へ貫通した窓部を有する枠状のセンター役物と、
該センター役物の後側で前後方向の異なる位置に夫々配置されると共に、少なくとも正面視における前記窓部内側で所定方向へ夫々移動可能とされ、少なくとも二つ同士の間で一方の正面投影範囲と重なることが可能とされた夫々異なる形状の複数の可動装飾体と、
各該可動装飾体を、前記遊技領域内へ遊技媒体が打ち込まれることで変化する遊技状態に応じて夫々独立して移動させる複数の駆動機構と
を具備する」ことを特徴とする。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
磁性材料から形成され、最大幅が１００μｍ以下であり、体内で磁界によって移動できるヘッドと、
先端が開口した状態で前記ヘッドに取り付けられ、前記先端の開口部を介して液体を注入又は吸引可能な管と、
を備えた注入・吸引装置。
【請求項２】
磁性材料から形成され、最大幅が１００μｍ以下であり、体内で磁界によって移動できるヘッドと、先端が開口した状態で前記ヘッドに取り付けられ、前記先端の開口部を介して液体を注入又は吸引可能な管と、前記ヘッド又は前記管の先端側の位置に存在するマークとを有する注入・吸引装置と、
前記ヘッドに磁界を付与可能な電磁石と、前記電磁石が付与する磁界によって前記ヘッドに働く磁力の大きさ及び向きとを制御可能な移動制御部とを有する移動装置と、
前記マークの位置を求め、前記マークの位置に基づいて前記ヘッドの位置を検出可能な位置検出装置と、
を備えた注入・吸引システム。